(57)【要約】【課題】送電鉄塔上でのスリーブ圧縮作業の作業性を向上させることができる圧縮接続治具を提供する。【解決手段】圧縮接続治具１０は、圧縮接続治具１０を圧縮機１１０に載せて取り付けるための主支持手段１１，１２と、圧縮機１１０を挟んで各ジャンパー線１を挟持するための第１および第２の固定支持手段１９，２０と、第１および第２の固定支持手段１９，２０を下方に付勢させて主支持手段１１，１２から吊下支持するための第１および第２の吊下支持手段１３〜１８とを具備する。第１および第２の固定支持手段１１，１２は、圧縮接続治具１０の内向き方向にのみ回転可能な第１および第２の一方向ローラー１９ａ，２０ａと、圧縮接続治具１０の外向き方向および内向き方向に回転可能な第１および第２のローラー１９ｃ，２０ｃとを備える。【選択図】図１
2018195417.tif 000002
【特許請求の範囲】
【請求項１】
送電鉄塔上で圧縮機（１１０）を用いてスリーブ（２）を圧縮するスリーブ圧縮作業に使用するための圧縮接続治具（１０）であって、
前記圧縮接続治具を前記圧縮機に載せて取り付けるための主支持手段（１１，１２）と、
前記圧縮機を挟んで第１および第２の線条体（１）を挟持するための第１および第２の固定支持手段（１９，２０）と、
該第１および第２の固定支持手段を下方に付勢させて前記主支持手段から吊下支持するための第１および第２の吊下支持手段（１３〜１８）とを具備し、
前記第１および第２の固定支持手段が、
前記圧縮接続治具の内向き方向にのみ回転可能な第１および第２の一方向ローラー（１９ａ，２０ａ）と、
前記圧縮接続治具の外向き方向および内向き方向に回転可能な第１および第２のローラー（１９ｃ，２０ｃ）とを備える、
ことを特徴とする、圧縮接続治具。
【請求項２】
前記主支持手段が、棒状の第１および第２の主支持部（１１，１２）を備え、
前記第１および第２の吊下支持手段が、
両端が前記第１および第２の主支持部の両端部に固定された棒状の第１および第２の吊下横支持部（１３，１４）と、
一端が前記第１および第２の吊下横支持部に固定された棒状の第１および第２の吊下縦支持部（１５，１６）と、
該第１および第２の吊下縦支持部の他端に第１および第２のバネの一端が固定された第１および第２のバネ入り支持部（１７，１８）とを備え、
前記第１および第２の固定支持手段が、前記第１および第２のバネの他端が固定されて前記第１および第２のバネ入り支持部によって下方に付勢されて支持された第１および第２の固定支持部（１９，２０）を備え、
前記第１および第２の固定支持部が、前記第１および第２の一方向ローラーと前記第１および第２のローラーとを備える、
ことを特徴とする、請求項１記載の圧縮接続治具。
【請求項３】
前記第１および第２の固定支持部が、前記第１および第２の一方向ローラーが取り付けられた第１および第２の部分と前記第１および第２のローラーが取り付けられた第１および第２の他の部分とを備え、
前記第１および第２の部分と前記第１および第２の他の部分とが、第１および第２のヒンジを介して連結されているとともに、第１および第２の結束バンド（１９ｄ，２０ｄ）を用いて閉じられる、
ことを特徴とする、請求項２記載の圧縮接続治具。
【請求項４】
前記第１および第２の主支持部と前記第１および第２の吊下横支持部とが伸縮可能に構成されていることを特徴とする、請求項２または３記載の圧縮接続治具。
【発明の詳細な説明】
【技術分野】
【０００１】
本発明は、送電鉄塔上で圧縮機（圧縮ヘッド）を用いてスリーブ（圧縮スリーブ）を圧縮するスリーブ圧縮作業に使用するのに好適な圧縮接続治具に関する。
【背景技術】
【０００２】
従来、送電鉄塔上において２本の送電線を接続する際には、一端が腕金に固定された２つの絶縁碍子の他端部に各送電線の一端部をそれぞれ固定し、各送電線の他端部を２本のジャンパー線１の一端部にそれぞれ接続し、図５（ａ）〜（ｃ）に示すように、各ジャンパー線１の他端部をスリーブ２に差し込んだのち、圧縮機１１０を用いてスリーブ２を圧縮していくことにより、２本のジャンパー線１を圧着接続している（下記の特許文献１参照）。
【０００３】
また、圧縮機１１０を用いたスリーブ圧縮作業は、以下に示す手順で行っている。
（手順１）圧縮機１１０にスリーブ２を挿入したのち、各ジャンパー線１の他端部をスリーブ２に差し込む。
（手順２）油圧を加えて圧縮機１１０の可動ダイス１１２を固定ダイス１１１に向かって移動させてスリーブ２を圧縮する（図５（ｃ）の矢印参照）。
（手順３）油圧を加えるのを止めて可動ダイス１１２を元の位置に戻したのち、スリーブ２または圧縮機１１０を移動させて圧縮箇所を変えたのち、油圧を加えて圧縮機１１０の可動ダイス１１２を固定ダイス１１１に向かって移動させてスリーブ２を圧縮する。
（手順４）手順３を必要な回数だけ繰り返す。
【０００４】
しかし、圧縮機１１０を用いたスリーブ圧縮作業は送電鉄塔上で行われるため、不安定で作業性が悪く、以下に示すような問題が生じていた。
（１）数人の作業員が必要である。
（２）圧縮機１１０の重量物を操作しながら行うため、圧縮時にスリーブ２が湾曲（変形）したり、作業員の経験によって品質（圧縮伸びや突合せ等）にバラつきが生じたりする。
【０００５】
そこで、このような問題を解決するために、本出願人は、下記の特許文献１において、各ジャンパー線にそれぞれ着脱自在に固定される２個のクランプ、各クランプに一部を固定されて各ジャンパー線と交差する方向へ延びる２個のジャンパー線保持アーム、および、各ジャンパー線保持アームの他の部位間を連結固定する連設片を備えたジャンパー線保持部材と、圧縮機（圧縮接続器）に着脱自在に固定される第１の着脱部、第１の着脱部に一部が固定されたベースアーム、および、ベースアームの他の部位に設けられて連設片の中間部に着脱自在に取り付けられた第２の着脱部を備えたベースユニットとを具備し、ジャンパー線接続作業を行う際に各ジャンパー線保持アームが各ジャンパー線の端部をスリーブ内部に押圧する方向へ付勢するようにした、ジャンパー線接続装置を提案している。
また、本出願人は、下記の特許文献２において、電線を接続するスリーブを圧縮する圧縮機に圧縮ダイスを挟み直線状に取り付けられた一対のラックと、ラックに噛み合うピニオンを内蔵しラックに対し進退可能に取り付けられた一対のスライダーと、スリーブとスリーブに挿入した電線とを直線状に把持する一対の電線把持具と、スライダーと電線把持具を連結する一対の連結具とを備え、スリーブとスリーブに挿入した電線とを直線状に保持したままスリーブまたは圧縮機を移動可能に構成した、圧縮補助具を提案している。
【先行技術文献】
【特許文献】
【０００６】
【特許文献１】特開２０１１−０８６５４２号公報
【特許文献２】特開２０１４−１２０３２０号公報
【発明の概要】
【発明が解決しようとする課題】
【０００７】
しかしながら、上記の特許文献１で提案したジャンパー線接続装置および上記の特許文献２で提案した圧縮補助具では、以下に示す理由により、送電鉄塔上でのスリーブ圧縮作業の作業性の更なる向上が求められているという問題がある。
（１）上記の特許文献１で提案したジャンパー線接続装置では、周方向に２分割された略Ｃ字状の一対の金属バンドを２つの蝶ネジで接続してベースユニットを圧縮機に取り付ける必要があり、上記の特許文献２で提案した圧縮補助具では、取付部を介して固定ダイスに直接ボルト止めしてラック本体を圧縮機に取り付ける必要がある。
（２）上記の特許文献１で提案したジャンパー線接続装置および上記の特許文献２で提案した圧縮補助具では、蝶ネジを用いてジャンパー線や電線を挟持（把持）するため、ジャンパー線や電線を内側へ引張りながら蝶ネジを締め付ける必要がある。
【０００８】
本発明の目的は、送電鉄塔上でのスリーブ圧縮作業の作業性を向上させることができる圧縮接続治具を提供することにある。
【課題を解決するための手段】
【０００９】
本発明の圧縮接続治具は、送電鉄塔上で圧縮機（１１０）を用いてスリーブ（２）を圧縮するスリーブ圧縮作業に使用するための圧縮接続治具（１０）であって、前記圧縮接続治具を前記圧縮機に載せて取り付けるための主支持手段（１１，１２）と、前記圧縮機を挟んで第１および第２の線条体（１）を挟持するための第１および第２の固定支持手段（１９，２０）と、該第１および第２の固定支持手段を下方に付勢させて前記主支持手段から吊下支持するための第１および第２の吊下支持手段（１３〜１８）とを具備し、前記第１および第２の固定支持手段が、前記圧縮接続治具の内向き方向にのみ回転可能な第１および第２の一方向ローラー（１９ａ，２０ａ）と、前記圧縮接続治具の外向き方向および内向き方向に回転可能な第１および第２のローラー（１９ｃ，２０ｃ）とを備えることを特徴とする。
ここで、前記主支持手段が、棒状の第１および第２の主支持部（１１，１２）を備え、前記第１および第２の吊下支持手段が、両端が前記第１および第２の主支持部の両端部に固定された棒状の第１および第２の吊下横支持部（１３，１４）と、一端が前記第１および第２の吊下横支持部に固定された棒状の第１および第２の吊下縦支持部（１５，１６）と、該第１および第２の吊下縦支持部の他端に第１および第２のバネの一端が固定された第１および第２のバネ入り支持部（１７，１８）とを備え、前記第１および第２の固定支持手段が、前記第１および第２のバネの他端が固定されて前記第１および第２のバネ入り支持部によって下方に付勢されて支持された第１および第２の固定支持部（１９，２０）を備え、前記第１および第２の固定支持部が、前記第１および第２の一方向ローラーと前記第１および第２のローラーとを備えてもよい。
前記第１および第２の固定支持部が、前記第１および第２の一方向ローラーが取り付けられた第１および第２の部分と前記第１および第２のローラーが取り付けられた第１および第２の他の部分とを備え、前記第１および第２の部分と前記第１および第２の他の部分とが、第１および第２のヒンジを介して連結されているとともに、第１および第２の結束バンド（１９ｄ，２０ｄ）を用いて閉じられてもよい。
前記第１および第２の主支持部と前記第１および第２の吊下横支持部とが伸縮可能に構成されていてもよい。
【発明の効果】
【００１０】
本発明の圧縮接続治具は、以下の効果を奏する。
（１）圧縮接続治具を載せるだけで圧縮機に取り付けられるとともに、蝶ネジの代わりに結束バンドを用いることによりジャンパー線等を内側へ引張りながら挟持する必要がないため、送電鉄塔上でのスリーブ圧縮作業の作業性を向上させることができる。
（２）ジャンパー線等のクランプに蝶ネジの代わりに結束バンドを用いることにより、ジャンパー線等のサイズに応じたクランプを不要にすることができる。
（３）一人の作業員でも作業できるため、作業員の労力を軽減させることができる。
【図面の簡単な説明】
【００１１】
【図１】本発明の一実施例による圧縮接続治具１０について説明するための図であり、（ａ）はその上面図であり、（ｂ）はその正面図であり、（ｃ）は左固定支持部１９を閉じた状態を示す左側面図であり、（ｄ）は左固定支持部１９を開いた状態を示す左側面図である。
【図２】圧縮接続治具１０を用いたスリーブ圧縮作業の手順３について説明するための図であり、（ａ）は圧縮接続治具１０を上方から見た図であり、（ｂ）は圧縮接続治具１０を正面から見た図であり、（ｃ）は圧縮接続治具１０を左側面から見た図である。
【図３】圧縮接続治具１０を用いたスリーブ圧縮作業の手順４について説明するための図であり、（ａ）は圧縮接続治具１０を上方から見た図であり、（ｂ）は圧縮接続治具１０を正面から見た図である。
【図４】圧縮接続治具１０を用いたスリーブ圧縮作業の手順５について説明するための図であり、（ａ）は圧縮接続治具１０を正面から見た図であり（ｂ）は圧縮接続治具１０を左側面から見た図である。
【図５】従来のスリーブ圧縮作業について説明するための図であり、（ａ）は圧縮機１１０を上方から見た図であり、（ｂ）は圧縮機１１０を正面から見た図であり、（ｃ）は圧縮機１１０を左側面から見た図である。
【発明を実施するための形態】
【００１２】
上記の目的を、ジャンパー線等（線条体）を挟持するための一方向ローラーおよびローラーを備えた固定支持手段を下方に付勢させて主支持手段で吊下支持する構成とすることによりに実現した。
【実施例１】
【００１３】
以下、本発明の圧縮接続治具の実施例について図面を参照して説明する。
本発明の一実施例による圧縮接続治具１０は、図１（ａ）〜（ｄ）に示すように、前主支持部１１と、後主支持部１２と、左横吊下支持部１３と、右横吊下支持部１４と、左縦吊下支持部１５と、右縦吊下支持部１６と、左バネ入り支持部１７と、右バネ入り支持部１８と、左固定支持部１９と、右固定支持部２０とを具備する。
【００１４】
ここで、前主支持部１１は、２つの角棒からなり、右側の角棒が左側の角棒に入れ子式に挿入可能とされて左右方向に段階的（この例では３段階）に伸縮可能なように構成されている。
そのため、左側の角棒の右端部には、右側の角棒の左端部が挿入可能な挿入孔が形成されており、左側の角棒の右端部の上面には、３個の係止孔１１ｂが所定の間隔で形成されているとともに、右側の角棒の左端部の上面には、係止孔１１ｂに係脱する係止ピン１１ａ（バネによって上方に付勢されている。）が取り付けられている。
【００１５】
同様に、後主支持部１２は、２つの角棒からなり、右側の角棒が左側の角棒に入れ子式に挿入可能とされて左右方向に段階的（この例では３段階）に伸縮可能なように構成されている。
そのため、左側の角棒の右端部には、右側の角棒の左端部が挿入可能な挿入孔が形成されており、左側の角棒の右端部の上面には、３個の係止孔１２ｂが所定の間隔で形成されているとともに、右側の角棒の左端部の上面には、係止孔１２ｂに係脱する係止ピン１２ａ（バネによって上方に付勢されている。）が取り付けられている。
【００１６】
左横吊下支持部１３は、前端が前主支持部１１の左端の裏面に固定されているとともに、後端が後主支持部１２の左端の表面に固定されている。
また、左横吊下支持部１３は、２つの角棒からなり、後側の角棒が前側の角棒に入れ子式に挿入可能とされて前後方向に段階的（この例では２段階）に伸縮可能なように構成されている。
そのため、前側の角棒の後端部には、後側の角棒の前端部が挿入可能な挿入孔が形成されており、前側の角棒の後端部の上面には、２個の係止孔１３ｂが所定の間隔で形成されているとともに、後側の角棒の前端部の上面には、係止孔１３ｂに係脱する係止ピン１３ａ（バネによって上方に付勢されている。）が取り付けられている。
【００１７】
同様に、右横吊下支持部１４は、前端が前主支持部１１の右端の裏面に固定されているとともに、後端が後主支持部１２の右端の表面に固定されている。
また、右横吊下支持部１４は、２つの角棒からなり、後側の角棒が前側の角棒に入れ子式に挿入可能とされて前後方向に段階的（この例では２段階）に伸縮可能なように構成されている。
そのため、前側の角棒の後端部には、後側の角棒の前端部が挿入可能な挿入孔が形成されており、前側の角棒の後端部の上面には、２個の係止孔１４ｂが所定の間隔で形成されているとともに、後側の角棒の前端部の上面には、係止孔１４ｂに係脱する係止ピン１４ａ（バネによって上方に付勢されている。）が取り付けられている。
【００１８】
左縦吊下支持部１５は角棒で構成されており、左横吊下支持部１３を縮めたときに前主支持部１１と後主支持部１２との略中間にくるように上端が左横吊下支持部１３の下面に固定されている（図１（ａ），（ｃ）参照）。
【００１９】
同様に、右縦吊下支持部１６は角棒で構成されており、右横吊下支持部１４を縮めたときに前主支持部１１と後主支持部１２との略中間にくるように上端が右横吊下支持部１４の下面に固定されている（図１（ａ）参照）。
【００２０】
左バネ入り支持部１７は、左固定支持部１９を下方に付勢して支持するためのものであり、バネの上端が左縦吊下支持部１５の下端に固定されるとともにバネの下端が左固定支持部１９に固定されたバネ内蔵伸縮棒から構成されている。
【００２１】
同様に、右バネ入り支持部１８は、右固定支持部２０を下方に付勢して支持するためのものであり、バネの上端が右縦吊下支持部１６の下端に固定されるとともにバネの下端が右固定支持部２０に固定されたバネ内蔵伸縮棒から構成されている。
【００２２】
左固定支持部１９は、上側部分と下側部分とが開閉可能なように、上板と、上端が上板の下面の前端部に固定された上側前板と、上端が上板の下面の後端部に固定された上側後板と、下板と、下端が下板の上面の前端部に固定された下側前板と、下端が下板の上面の後端部に固定された下側後板とで構成されており、上側後板と下側後板とはヒンジを介して連結されている（図１（ｃ），（ｄ）参照）。
【００２３】
また、左固定支持部１９によってジャンパー線１を挟持するために、左一方向ローラー１９ａが上側前板と上側後板との間に取り付けられているとともに、左ローラー１９ｃが下側前板と下側後板との間に取り付けられている。
ここで、図１（ｂ）に矢印で示すように、左ローラー１９ｃは、圧縮接続治具１０の外向き方向および内向き方向（同図図示時計回りおよび反時計回り）に回転可能とされているが、左一方向ローラー１９ａは、圧縮接続治具１０の内向き方向（同図図示反時計回り）にのみ回転可能となるように、左ラチェット機構１９ｂ（左一方向ローラー１９ａの後面に取り付けられたラチェット歯車と上側後板の内面に取り付けられたラチェット爪とを備える。）が取り付けられている。
【００２４】
さらに、左固定支持部１９の開閉には結束バンド方式を採用して多種のジャンパー線に対応するために、左結束バンド１９ｄの末端が下側前板の上端に固定されており、左結束バンド１９ｄの先端部を挿入するための結束バンド挿入孔が上側前板の下端部に形成されているとともに、左結束バンド１９ｄをロックしたり解除したりするための左解除爪１９ｅ（バネによって結束バンド挿入孔に向かって付勢されている。）が上側前板に取り付けられている。
【００２５】
同様に、右固定支持部２０は、上側部分と下側部分とが開閉可能なように、上板と、上端が上板の下面の前端部に固定された上側前板と、上端が上板の下面の後端部に固定された上側後板と、下板と、下端が下板の上面の前端部に固定された下側前板と、下端が下板の上面の後端部に固定された下側後板とで構成されており、上側後板と下側後板とはヒンジを介して連結されている。
【００２６】
また、右固定支持部２０によってジャンパー線１を挟持するために、右一方向ローラー２０ａが上側前板と上側後板との間に取り付けられているとともに、右ローラー２０ｃが下側前板と下側後板との間に取り付けられている。
ここで、図１（ｂ）に矢印で示すように、右ローラー２０ｃは、圧縮接続治具１０の外向き方向および内向き方向（同図図示時計回りおよび反時計回り）に回転可能とされているが、右一方向ローラー２０ａは、圧縮接続治具１０の内向き方向（同図図示時計回り）にのみ回転可能となるように、右ラチェット機構２０ｂ（右一方向ローラー２０ａの後面に取り付けられたラチェット歯車と上側後板の内面に取り付けられたラチェット爪とを備える。）が取り付けられている。
【００２７】
さらに、右固定支持部２０の開閉には結束バンド方式を採用して多種のジャンパー線に対応するために、右結束バンド２０ｄの末端が下側前板の上端に固定されており、右結束バンド２０ｄの先端部を挿入するための結束バンド挿入孔が上側前板の下端部に形成されているとともに、右結束バンド２０ｄをロックしたり解除したりするための右解除爪２０ｅ（バネによって結束バンド挿入孔に向かって付勢されている。）が上側前板に取り付けられている。
【００２８】
次に、圧縮接続治具１０を用いたスリーブ圧縮作業について、図２（ａ）〜（ｃ）、図３（ａ），（ｂ）および図４（ａ），（ｂ）を参照して説明する。
（手順１）作業員は、圧縮機１１０にスリーブ２を挿入したのち、各ジャンパー線１の他端部をスリーブ２に差し込む。
【００２９】
（手順２）作業員は、圧縮接続治具１０の前および後主支持部１１，１２を伸縮させて長さを調整するとともに左および右横吊下支持部１３，１４を伸縮させて長さを調整し、左および右固定支持部１９，２０を開いた状態で、圧縮接続治具１０を圧縮機１１０に上から載せて取り付ける。
【００３０】
（手順３）作業員は、圧縮接続治具１０の左および右固定支持部１９，２０に各ジャンパー線１を入れたのち、左および右固定支持部１９，２０を閉じて各ジャンパー線１を挟持させる。
このとき、左および右固定支持部１９，２０は左および右バネ入り支持部１７，１８によって下方に付勢されているため、スリーブ２は圧縮機１１０の可動ダイス１１２に押し付けられる（図２（ａ）〜（ｃ）参照）。
その結果、例えばスリーブ２に圧縮目安マークが記されている場合には、作業員は圧縮目安マークを見易くなる。
【００３１】
（手順４）作業員は、スリーブ２内の中央部に取り付けられている偏位防止隔壁に先端が当接するまで各ジャンパー線１を押し込んでいく（図３（ａ），（ｂ）の矢印参照）。
このとき、左および右固定支持部１９，２０の左および右一方向ローラー１９ａ，２０ａは圧縮接続治具１０の内向き方向に回転可能となっているため、各ジャンパー線１をスリーブ２の中央部に向けて押し込んでいくことができる。
【００３２】
（手順５）作業員は、油圧を加えて圧縮機１１０の可動ダイス１１２を固定ダイス１１１に向かって移動させてスリーブ２を圧縮する（図４（ａ），（ｂ）の矢印参照）。
このとき、左および右固定支持部１９，２０の左および右一方向ローラー１９ａ，２０ａは圧縮接続治具１０の内向き方向にのみ回転可能となっているため、各ジャンパー線１がスリーブ２の外側に向かって逃げないようにすることができる。
また、左および右バネ入り支持部１７，１８によって圧縮時の各ジャンパー線１の上下方向への湾曲を防止することができる。
【００３３】
（手順６）作業員は、油圧を加えるのを止めて可動ダイス１１２を元の位置に戻したのち、圧縮接続治具１０を移動させて圧縮箇所を変えたのち、油圧を加えて圧縮機１１０の可動ダイス１１２を固定ダイス１１１に向かって移動させてスリーブ２を圧縮する。
【００３４】
（手順７）作業員は、手順６を必要な回数だけ繰り返す。
【００３５】
以上の説明では、圧縮接続治具１０をジャンパー線１の接続に用いたが、スリーブ２を介して電線を接続する際にも使用することができる。
また、第１および第２の一方向ローラー１９ａ，２０ａを第１および第２のローラー１９ｃ，２０ｃの上側に取り付けたが、第１および第２の一方向ローラー１９ａ，２０ａを第１および第２のローラー１９ｃ，２０ｃの下側に取り付けてもよい。
【符号の説明】
【００３６】
１  ジャンパー線
２  スリーブ
１０  圧縮接続治具
１１  前主支持部
１１ａ〜１４ａ  係止ピン
１１ｂ〜１４ｂ  係止孔
１２  後主支持部
１３  左横吊下支持部
１４  右横吊下支持部
１５  左縦吊下支持部
１６  右縦吊下支持部
１７  左バネ入り支持部
１８  右バネ入り支持部
１９  左固定支持部
１９ａ  左一方向ローラー
１９ｂ  左ラチェット機構
１９ｃ  左ローラー
１９ｄ  左結束バンド
１９ｅ  左解除爪
２０  右固定支持部
２０ａ  左一方向ローラー
２０ｂ  左ラチェット機構
２０ｃ  左ローラー
２０ｄ  左結束バンド
２０ｅ  左解除爪
１１０  圧縮機
１１１  固定ダイス
１１２  可動ダイス
【図１】
2018195417.tif 000003
【図２】
2018195417.tif 000004
【図３】
2018195417.tif 000005
【図４】
2018195417.tif 000006
【図５】
2018195417.tif 000007